(57)【要約】      （修正有）【課題】ファンホイールユニットとポンプユニットを整合して隣接に排列する組立の関係を形成すると共に、選択的に同じ駆動源を使用することにより、エアクーリングと液体クーリングによる二重の放熱の効果を提供する。【解決手段】放熱板１には少なくとも一個の放熱部と循環管路１３が設けられる。放熱部はファンホイールユニットの少なくとも一方の側辺と隣接し、放熱部は少なくとも一個の放熱物件と熱性的連接するのに用いられる。ファンホイールユニット３とポンプユニット４は隣接するように排列されることにより、ファンホイールユニット３は気流を駆動して放熱部に対してエアクーリングの放熱を行い、さらにポンプユニット４は冷却液を駆動して循環管路１３に沿ってポンプユニット４と放熱部との間で循環して流動することにより、放熱部に対して液体クーリングの放熱を行うように構成されている。【選択図】図１
2007227869.tif 000002
【特許請求の範囲】
【請求項１】
放熱板（１）、ファンホイールユニット（３）およびポンプユニット（４）により構成される複合式放熱モジュールであって、放熱板（１）には少なくとも一個の放熱部（Ａ、Ｂ）と循環管路（１３）が設けられ、放熱部（Ａ、Ｂ）は少なくとも一個の放熱物件（６１、６２、６３）と熱性的連接するのに用いられ、循環管路（１３）は冷却液を移送するのに用いられ、ファンホイールユニット（３）は少なくとも一個の放熱物件（６１、６２、６３）まで隣接され、ファンホイールユニット（３）は気流を駆動して放熱部（Ａ、Ｂ）に対してエアクーリングの放熱を行うのに用いられ、ポンプユニット（４）はファンホイールユニット（３）に隣接するように排列され、ポンプユニット（４）は上記冷却液を駆動して循環管路（１３）に沿ってポンプユニット（４）と放熱部（Ａ、Ｂ）との間で循環して流動するのに用いられることにより、放熱部に（Ａ、Ｂ）対して液体クーリングの放熱を行うことを特徴とする複合式放熱モジュール。
【請求項２】
ファンホイールユニット（３）とポンプユニット（４）は上下に重なって隣接するように排列されることを特徴とする請求項１記載の複合式放熱モジュール。
【請求項３】
放熱板（１）の両側にはそれぞれ収容部（１０、１４）が設けられ、収容部（１０、１４）にはそれぞれファンホイールユニット（３）とポンプユニット（４）が収容されることを特徴とする請求項２記載の複合式放熱モジュール。
【請求項４】
他に基座（７）が含まれ、基座（７）の両側にはそれぞれ収容部（７０、７１）が設けられ、収容部（７０、７１）にはそれぞれファンホイールユニット（３）とポンプユニット（４）が収容されることを特徴とする請求項２記載の複合式放熱モジュール。
【請求項５】
ファンホイールユニット（３）とポンプユニット（４）は対応する側から並列するように設置されることを特徴とする請求項１記載の複合式放熱モジュール。
【請求項６】
放熱板（１）の同じ側には相互に連通する二個の収容部（１０、１４）が設けられ、収容部（１０、１４）にはそれぞれファンホイールユニット（３）とポンプユニット（４）が収容されることを特徴とする請求項５記載の複合式放熱モジュール。
【請求項７】
他に基座（７）が含まれ、基座（７）の同じ側には相互に連通する二個の容部（７０、７１）が設けられ、収容部（７０、７１）にはそれぞれファンホイールユニット（３）とポンプユニット（４）が収容されることを特徴とする請求項５記載の複合式放熱モジュール。
【請求項８】
他に少なくとも一個の駆動源（５）が含まれ、駆動源（５）は同期的にファンホイールユニット（３）とポンプユニット（４）を駆動することを特徴とする請求項１記載の複合式放熱モジュール。
【請求項９】
駆動源（５）は軸方向巻線式モーター、半径方向巻線式モーターまたは単相モーターから選択することを特徴とする請求項８記載の複合式放熱モジュール。
【請求項１０】
駆動源（５）にはステータ部（５１）と回動部（５２）が含まれ、回動部（５２）はファンホイールユニット（３）の上に設けられ、ステータ部（５１）は回動部（５２）とファンホイールユニット（３）が回動するのを連動することを特徴とする請求項９記載の複合式放熱モジュール。
【請求項１１】
駆動源（５）にはステータ部（５１）と回動部（５３）が含まれ、回動部（５３）はポンプユニット（４）の上に設けられ、ステータ部（５１）は回動部（５３）とポンプユニット（４）が回動するのを連動することを特徴とする請求項９記載の複合式放熱モジュール。
【請求項１２】
他に駆動源（５）を補助するための伝動ユニットが含まれ、上記伝動ユニットはギア組またはベルト組から選択することを特徴とする請求項８記載の複合式放熱モジュール。
【請求項１３】
ファンホイールユニット（３）には第一伝動板（３４）が設けられ、ポンプユニット（４）には対応するように第二伝動板（４４）が設けられ、第一伝動板（３４）と第二伝動板（４４）は上記伝動ユニットを組成し、第一伝動板（３４）と第二伝動板（４４）の外周縁には選択的に対応するように複数個の突出歯が設けられることにより、相互に噛み合って同期的に回動することができることを特徴とする請求項１２記載の複合式放熱モジュール。
【請求項１４】
ファンホイールユニット（３）には第一伝動板（３４）が設けられ、ポンプユニット（４）には対応するように第二伝動板（４４）が設けられ、第一伝動板（３４）と第二伝動板（４４）は上記伝動ユニットを組成し、第一伝動板（３４）と第二伝動板（４４）の外周縁には選択的に対応するように複数個の環状溝が設けられることにより、少なくとも一個のベルトを利用して連動して回動するように形成されることを特徴とする請求項１２記載の複合式放熱モジュール。
【請求項１５】
ファンホイールユニット（３）にはハブ（３１）、複数個のはね（３２）と軸棒（３３）が含まれることを特徴とする請求項１記載の複合式放熱モジュール。
【請求項１６】
はね（３２）は送風式のはねまたは軸流式のはねから選択することを特徴とする請求項１５記載の複合式放熱モジュール。
【請求項１７】
ポンプユニット（４）には回動板（４１）、複数個の駆動板（４２）と軸棒（４３）が含まれることを特徴とする請求項１記載の複合式放熱モジュール。
【請求項１８】
ポンプユニット（４）ははね式ポンプ、ギア式ポンプまたはタービン式ポンプから選択することを特徴とする請求項１記載の複合式放熱モジュール。
【請求項１９】
ファンホイールユニット（３）にはハブ（３１）と複数個のはね（３２）が含まれ、ポンプユニット（４）には回動板（４１）と複数個の駆動板（４２）が含まれ、そしてファンホイールユニット（３）とポンプユニット（４）は一個の軸棒（３４、４３）を共用することを特徴とする請求項１記載の複合式放熱モジュール。
【請求項２０】
放熱板（１）には他に複数個の放熱フィン（１１）と複数個の放熱通路（１２）が設けられ、放熱フィン（１１）と放熱通路（１２）は放熱部（Ａ、Ｂ）の上に交錯にして排列するように形成されることを特徴とする請求項１記載の複合式放熱モジュール。
【請求項２１】
循環管路（１３）は選択的に放熱板（１）の内部に埋設するように形成されることを特徴とする請求項１記載の複合式放熱モジュール。
【請求項２２】
循環管路（１３）は選択的に放熱板（１）の一方の表面に貼接するように形成されることを特徴とする請求項１記載の複合式放熱モジュール。
【請求項２３】
循環管路（１３）は迂回するように放熱部（Ａ、Ｂ）の箇所に設けられることを特徴とする請求項１記載の複合式放熱モジュール。
【請求項２４】
他に蓋板（２）が設けられ、さらに放熱板（１）には収容部（１０）が設けられ、蓋板（２）は放熱板（１）の収容部（１０）の上を覆って結合し、収容部（１０）はファンホイールユニット（３）を収容するのに用いられ、そして蓋板（２）にはファンホイールユニット（３）に対応するように風進入口（２１）が設けられることを特徴とする請求項１記載の複合式放熱モジュール。
【発明の詳細な説明】
【技術分野】
【０００１】
本発明は、複合式放熱モジュールに関するもので、特にファンホイールユニットとポンプユニットを整合して隣接するように排列することにより、組立の空間を節約し、さらに構造を簡単にすることができる複合式放熱モジュールに係るものである。
【背景技術】
【０００２】
従来の複合式放熱モジュールとしては、図８に示すアメリカ公開第２００４／００４２１７３号において第一枠体９１、第二枠体９２、集熱部９３、放熱部９４、循環径路９５、ファンユニット９６とポンプユニット９７が含まれる。第一枠体９１は主体ユニット（例えばノート型パソコンの主機体の枠体）からなり、第一枠体９１には発熱装置９１１（例えば中央処理器，ＣＰＵ）が設けられる。第二枠体９２は表示ユニット（例えばノート型パソコンのモニター）からなり、第二枠体９２は第一枠体９１の一方の側に枢着され、そして開閉自在の位置に移動することができるように形成される。集熱部９３は発熱部材９１１まで熱性的連接される。放熱部９４は第二枠体９２の内に収容されることにより、発熱部材９１１から生じる熱エネルギーを駆動し放熱する。循環径路９５は液体の冷却剤が集熱部９３と放熱部９４の間に流動するのに用いられることにより、発熱部材９１１から集熱部９３まで伝導される熱エネルギーは上記液体冷却剤により放熱部９４まで伝送される。
【０００３】
また、ファンユニット９６は第二枠体９２の内に設けられることにより、冷却用の空気を放熱部９４まで導引することができる。ポンプユニット９７は第一枠体９１の内に設けられ、そして集熱部９３と放熱部９４との間の循環径路９５に位置するように形成されることにより、上記液体の冷却剤が流動するのを駆動することができる。上記複合式放熱モジュールを使用する時、上記液体の冷却剤は循環を行うため、第一枠体９１の内の発熱部材９１１（ＣＰＵ）に対して放熱を行うと同時に、上記液体の冷却剤とファンユニット９６は共同で第二枠体９２の内のその他の発熱部材９８（例えば液晶のパネル）に対して放熱を行うことにより、液体クーリングとエアクーリングによる二重の放熱の効果を提供することができるようにとしたものがある（例えば、特許文献１を参照）。
【特許文献１】アメリカ公開第２００４／００４２１７３号
【発明の開示】
【発明が解決しようとする課題】
【０００４】
上記のような従来の複合式放熱モジュールにおいては、一般として下記の問題点を有しており、例えば、ファンユニット９６とポンプユニット９７はそれぞれ第一枠体９１と第二枠体９２の異なる位置に設けられることにより、ファンユニット９６とポンプユニット９７は必然的に比較的多い組立の空間を占めており、そして比較的長い循環の径路を必要とし、さらに必然的にそれぞれモーターを設置することによってそれぞれ独立する運転を行うことができる。また、ファンユニット９６は単独で放熱部９４に対してしかエアクーリングの放熱を行うことができないため、同時に集熱部９３に対してエアクーリングの放熱を行うことができないという問題点があった。言い換えれば、上記複合式放熱モジュールではノートパソコンなどの電子装置の枠体の小型化には不利になるため、その適用の範囲が制限されてしまうという問題点があった。このように、上記のような従来の複合式放熱モジュールをさらに改良しなければならない。
【０００５】
本発明はこのような問題点に鑑みて発明したものであって、その目的とするところは、ファンホイールユニットとポンプユニットを整合して隣接に排列する組立の関係を形成し、例えば選択的に上下に重なったりまたは対応する側から並列に設置したりする。また、ファンホイールユニットとポンプユニットは選択的に同じ駆動源を使用することにより、エアクーリングと液体クーリングによる二重の放熱の効果を提供することができ、さらに組立の空間を節約し、構造を簡単にし、エネルギーの消耗を減らし、そして放熱しようとする放熱物件を有する電子装置の軽薄小型化に役立つことができる複合式放熱モジュールを提供しようとするものである。
【０００６】
本発明の第一の目的は、ファンホイールユニットとポンプユニットを整合して隣接に排列する組立の関係を形成することにより、組立の空間を節約すると共に、構造を簡単にすることができる複合式放熱モジュールを提供しようとするものである。
【０００７】
本発明の第二の目的は、ファンホイールユニットとポンプユニットを整合して同じ駆動源を使用することにより、構造を簡単にすると共に、エネルギーの消耗を減らすことができる複合式放熱モジュールを提供しようとするものである。
【０００８】
本発明の第三の目的は、ファンホイールユニットとポンプユニットを整合して同じ駆動源を使用し、さらに上記駆動源は間接の方式でポンプユニットを連動することにより、冷却液が漏れる確率を低く抑えることができる複合式放熱モジュールを提供しようとするものである。
【課題を解決するための手段】
【０００９】
上記目的を達成するために、本発明による複合式放熱モジュールは、下記のようになるものである。すなわち、
放熱板、ファンホイールユニットおよびポンプユニットにより構成される。放熱板には少なくとも一個の放熱部と循環管路が設けられ、放熱部は少なくとも一個の放熱物件と熱性的連接するのに用いられ、循環管路は冷却液を移送するのに用いられる。ファンホイールユニットは少なくとも一個の放熱物件まで隣接され、ファンホイールユニットは気流を駆動して放熱部に対してエアクーリングの放熱を行うのに用いられる。ポンプユニットはファンホイールユニットに隣接するように排列され、ポンプユニットは冷却液を駆動して循環管路に沿ってポンプユニットと放熱部との間で循環して流動するのに用いられることにより、放熱部に対して液体クーリングの放熱を行う。
【００１０】
本発明による複合式放熱モジュールは、ファンホイールユニットとポンプユニットは上下に重なって隣接するように排列されることもできる。また、放熱板の両側にはそれぞれ収容部が設けられ、収容部にはそれぞれファンホイールユニットとポンプユニットが収容されることもできる。また、他に基座が含まれ、基座の両側にはそれぞれ収容部が設けられ、収容部にはそれぞれファンホイールユニットとポンプユニットが収容されることもできる。また、ファンホイールユニットとポンプユニットは対応する側から並列するように設置されることもできる。また、放熱板の同じ側には相互に連通する二個の収容部が設けられ、収容部にはそれぞれファンホイールユニットとポンプユニットが収容されることもできる。また、他に基座が含まれ、基座の同じ側には相互に連通する二個の容部が設けられ、収容部にはそれぞれファンホイールユニットとポンプユニットが収容されることもできる。また、他に少なくとも一個の駆動源が含まれ、駆動源は同期的にファンホイールユニットとポンプユニットを駆動することもできる。また、駆動源は軸方向巻線式モーター、半径方向巻線式モーターまたは単相モーターから選択することもできる。また、駆動源にはステータ部と回動部が含まれ、回動部はファンホイールユニットの上に設けられ、ステータ部は回動部とファンホイールユニットが回動するのを連動することもできる。また、駆動源にはステータ部と回動部が含まれ、回動部はポンプユニットの上に設けられ、ステータ部は回動部とポンプユニットが回動するのを連動することもできる。また、他に駆動源を補助するための伝動ユニットが含まれ、上記伝動ユニットはギア組またはベルト組から選択することもできる。また、ファンホイールユニットには第一伝動板が設けられ、ポンプユニットには対応するように第二伝動板が設けられ、第一伝動板と第二伝動板は伝動ユニットを組成し、第一伝動板と第二伝動板の外周縁には選択的に対応するように複数個の突出歯が設けられることにより、相互に噛み合って同期的に回動することもできる。また、ファンホイールユニットには第一伝動板が設けられ、ポンプユニットには対応するように第二伝動板が設けられ、第一伝動板と第二伝動板は伝動ユニットを組成し、第一伝動板と第二伝動板の外周縁には選択的に対応するように複数個の環状溝が設けられることにより、少なくとも一個のベルトを利用して連動して回動することもできる。また、ファンホイールユニットにはハブ、複数個のはねと軸棒が含まれることもできる。また、はねは送風式のはねまたは軸流式のはねから選択することもできる。また、ポンプユニットには回動板、複数個の駆動板と軸棒が含まれることもできる。また、ポンプユニットははね式ポンプ、ギア式ポンプまたはタービン式ポンプから選択することもできる。また、ファンホイールユニットにはハブと複数個のはねが含まれ、ポンプユニットには回動板と複数個の駆動板が含まれ、そしてファンホイールユニットとポンプユニットは一個の軸棒を共用することもできる。また、放熱板には他に複数個の放熱フィンと複数個の放熱通路が設けられ、放熱フィンと放熱通路は放熱部の上に交錯にして排列するように形成されることもできる。また、循環管路は選択的に放熱板の内部に埋設するように形成されることもできる。また、循環管路は選択的に放熱板の一方の表面に貼接するように形成されることもできる。また、循環管路は迂回するように放熱部（Ａ、Ｂ）の箇所に設けられることもできる。また、他に蓋板が設けられ、さらに放熱板には収容部が設けられ、蓋板は放熱板の収容部の上を覆って結合し、収容部はファンホイールユニットを収容するのに用いられ、そして蓋板にはファンホイールユニットに対応するように風進入口が設けられることもできる。
【発明の効果】
【００１１】
本発明の複合式放熱モジュールによれば、ファンホイールユニットとポンプユニットを整合して隣接に排列する組立の関係を形成することにより、組立の空間を節約すると共に、構造を簡単にすることができるという利点がある。
【００１２】
本発明の複合式放熱モジュールによれば、ファンホイールユニットとポンプユニットを整合して同じ駆動源を使用することにより、構造を簡単にすると共に、エネルギーの消耗を減らすことができるという利点がある。
【００１３】
本発明の複合式放熱モジュールによれば、ファンホイールユニットとポンプユニットを整合して同じ駆動源を使用し、さらに上記駆動源は間接の方式でポンプユニットを連動することにより、冷却液が漏れる確率を低く抑えることができるという利点がある。
【発明を実施するための最良の形態】
【００１４】
本発明の実施の形態について、以下、図面を参照して説明する。
【実施例１】
【００１５】
図１、１Ａを参照すると、本発明の実施例１の複合式放熱モジュールには放熱板１、蓋板２、ファンホイールユニット３、ポンプユニット４と少なくとも一個の駆動源５が含まれ、本発明の複合式放熱モジュールは放熱しようとする放熱物件６１、６２、６３に対して同期的または選択的にエアクーリングと液体クーリングによる放熱の作動を行うのに用いられる。上記複合式放熱モジュールはノート型パソコン、デスクトップ型コンピューターまたはその他の電子装置の枠体の内に組み立てることができ、そして放熱物件６１、６２、６３は高効率の集積回路、表示パネルまたは電子素子などから選択することができ、例えば、ＣＰＵ、液晶パネル、ディスプレイカード／グラフィックスカードまたはその他のインターフェースカードの処理チップなどから選択することができる。しかし、本発明における複合式放熱モジュールでは上述した技術分野の使用だけを限定しておらず、さらに上記放熱しようとする放熱物件６１、６２、６３も上述したグループだけを限定しておらず、本発明における複合式放熱モジュールは選択的に放熱を必要としているいかなる装置の内部に使用することができる。
【００１６】
再び図１、１Ａ、２と３を参照すると、本発明の実施例１の放熱板１は導熱性の高い材質により製成され、例えばアルミ、銅またはその他の合金などにより製成することができる。放熱板１には少なくとも一個の放熱部Ａ、Ｂ、第一収容部１０、複数個の放熱フィン１１、複数個の放熱通路１２、循環管路１３と第二収容部１４が設けられる。放熱部Ａ、Ｂは第一収容部１０の少なくとも一方の側辺と隣接し、そして放熱部Ａ、Ｂはそれぞれ少なくとも一個の放熱物件６１、６２、６３と熱性的連接するのに用いられる。第一収容部１０は放熱板１の一方の表面上において凹むように設けられ、第一収容部１０はファンホイールユニット３を収容するのに用いられる。放熱フィン１１と放熱通路１２は放熱部Ａ、Ｂに交錯して排列するように形成されることにより、放熱部Ａ、Ｂの熱交換の面積を増やすことができる。放熱フィン１１と放熱通路１２の一端は第一収容部１０に連通するように形成される。
【００１７】
再び図１、１Ａ、２と３を参照すると、本発明の実施例１の循環管路１３は選択的に放熱板１の内部に埋設されたり、或いは選択的に放熱板１のもう一方の表面の外部に貼接されたりする。循環管路１３は迂回の方式で放熱部Ａ、Ｂの箇所に環設されることにより、冷却液を移送して放熱部Ａ、Ｂと第二収容部１４のポンプユニット４との間に循環して流動させるため、液体クーリングの熱交換の面積を増やすことができる。第二収容部１４は放熱板１のもう一つの表面上に凹むように設けられ、第二収容部１４はポンプユニット４を収容するのに用いられる。第一収容部１０と第二収容部１４は放熱板１の両側に凹むように設けられることにより、ファンホイールユニット３とポンプユニット４は上下に重なって設置するような隣接に排列する組立の関係を有する。
【００１８】
再び図１、１Ａ、２と３を参照すると、本発明の実施例１の蓋板２は第一収容部１０の上を覆って結合し、さらに蓋板２には風進入口２１が設けられ、風進入口２１はファンホイールユニット３に対応するように形成されることにより、ファンホイールユニット３は風進入口２１から気流を吸入し、放熱部Ａ、Ｂに対してエアクーリングによる放熱を行うことができる。
【００１９】
再び図１、１Ａ、２と３を参照すると、本発明の実施例１のファンホイールユニット３にはハブ３１、複数個のはね３２と軸棒３３が含まれる。ハブ３１は中空の逆さの碗の形に形成される。はね３２は等間隔でハブ３１の外周面に排列するように形成され、はね３２は送風式のはね、ギア式のはねまたは軸流式のはねの構造から選択することができる。軸棒３３の一端はハブ３１の内周面の中央部位に固設し結合され、さらに軸棒３３の他端は回動自在に第一収容部１０の底面上に結合される。
【００２０】
再び図１、１Ａ、２と３を参照すると、本発明の実施例１のポンプユニット４ははね式ポンプ、ギア式ポンプまたはタービン式ポンプなどの各種ポンプの構造から選択することができる。ポンプユニット４には回動板４１、複数個の駆動板４２と軸棒４３が含まれる。回動板４１ははね式ポンプの環状板またはギア式ポンプのギアから選択することができる。駆動板４２ははね式ポンプのはねまたはギア式ポンプの突出歯から選択することにより、冷却液を駆動することができる。軸棒４３の一端は回動板４１の中央部位に固設し結合され、さらに軸棒４３の他端は回動自在に第二収容部１４の底面上に結合される。
【００２１】
再び図１、１Ａ、２と３を参照すると、本発明の実施例１の駆動源５は好ましくはモーターから選択し、例えば軸方向巻線式または半径方向巻線式のモーターの構造から選択する。駆動源５にはステータ部５１と回動部５２が含まれ、ステータ部５１は第一収容部１０の内に固設され、そしてファンホイールユニット３により被覆される。ステータ部５１は好ましくはモーターステータから選択し、ステータ部５１には少なくとも一個の磁極片（図示せず）と少なくとも一個のコイル（図示せず）が含まれ、ステータ部５１に電流を導入することにより、交番の磁場を生じさせることができる。回動部５１は好ましくは磁石から選択し、回動部５２は環状でハブ３１の内周面に環設される。このように、回動部５２はステータ部５１の交番磁場を誘導することができ、さらにファンホイールユニット３を回動するように駆動することができる。実施例１において、好ましくは単一の駆動源５（モーター）だけを設置し、さらに軸桿３３と軸桿４３は一体になるように結合され、そして放熱板１を穿設してそれぞれ第一収容部１０と第二収容部１４の内に位置するように形成される。このように、駆動源５（モーター）がファンホイールユニット３を回動するように駆動した時、同期的にポンプユニットが回動するのを連動することができる。さらに、製品の需要性に応じて第一収容部１０と第二収容部１４の内においてそれぞれ少なくとも二個の駆動源５を設置することもできるため、それぞれ軸桿３３と４３によりファンホイールユニット３とポンプユニット４を駆動することができる。
【００２２】
図１Ａと３を参照すると、本発明の実施例１の複合式放熱モジュールを使用する時、先ず放熱板１を取り付けることにより、放熱部Ａを対応するように放熱物件６１に貼接させ、さらに放熱部Ｂを放熱物件６２、６３に対応するように貼接させる。それから、放熱物件６１が作動によって熱エネルギーが生じると、駆動源５（モーター）を起動することにより、ファンホイールユニット３が回動するのを駆動し、さらに軸桿３３と軸桿４３により同期的にポンプユニット４が回動するのを駆動する。この時、ファンホイールユニット３のはね３２は風進入口２１から進入する気流を駆動することにより、上記気流を放熱部ＡとＢの放熱通路１２の内に流入するように駆動することができるため、放熱部ＡとＢに対してエアクーリングによる放熱を行うことができる。同時に、ポンプユニット４の駆動板４２は上記冷却液を第二収容部１４と循環管路１３の内において往復に循環して流動するのを駆動することにより、放熱部ＡとＢに対して液体クーリングによる放熱を行うことができる。
【００２３】
図３を参照すると、全体から言えば、本発明においてファンホイールユニット３とポンプユニット４を利用してエアクーリングと液体クーリングによる二重の放熱の効果を提供することができ、さらに確実にファンホイールユニット３とポンプユニット４を上下に重なって排列することができるため、組立の空間を節約し、構造を簡単にし、さらにエネルギーの消耗を減らすことができる。また、放熱しようとする放熱物件６１、６２、６３を有する電子装置の軽薄小型化に役立つことができる。さらに、ファンホイールユニット３は好ましくはポンプユニット４の上方に重なるように排列しているが、製品の需要性に応じてファンホイールユニット３は選択的に重なるようにポンプユニット４の下方に排列することもできる。
【実施例２】
【００２４】
図４を参照すると、本発明の実施例２の複合式放熱モジュールが掲示される。実施例１と比較してみると、実施例２において軸桿３３と軸桿４３は分かれるように設置され、軸桿３３は回動自在に第一収容部１０の底面上に結合され、軸桿４３は回動自在に第二収容部１４の底面上に結合される。それから、駆動源５は他に単相モーターから選択し、そしてステータ５１には少なくとも一個の平らのコイル（図示せず）が含まれる。ファンホイールユニット３の上の回動部５２（永久磁石）は選択的に板片状からなり、そして回動部５２はハブ３１の内周の端面上に貼接される。その他に、駆動源５には他に回動部５３が含まれる。回動部５３は永久磁石から選択し、そして回動部５３も選択的に板片状からなり、さらに回動部５３はポンプユニット４の回動板４１の一方の表面上に貼接される。組み立てた後、回動部５２（永久磁石）は駆動源５（単相モーター）のステータ部５１の一方の表面に対応するように形成され、そして回動部５３（永久磁石）は駆動源５（単相モーター）のステータ部５１のもう一方の表面に対応するように形成される。
【００２５】
これにより、駆動源５（単相モーター）に電流を導入することにより、交番の磁場を生じさせると、ファンホイールユニット３の回動部５２は上記交番の磁場を誘導し、さらにファンホイールユニット３が第一収容部１０の内において回動するのを駆動することにより、気流を駆動してエアクーリングによる放熱を行うことができる。また、ポンプユニット４の回動部５３は間接的に駆動源５（単相モーター）の交番の磁場を誘導し、さらにポンプユニット４が第二収容部１４の内に回動するのを駆動することにより、冷却液を駆動して液体クーリングによる放熱を行うことができる。また、全体から言えば、本発明の実施例２においては二重の放熱の効果を提供することができるだけではなく、組立の空間を節約し、構造を簡単にし、さらにエネルギーの消耗を減らすことができる。さらに、第二収容部１４の冷却液が軸棒４３の枢着部を経て外部へ漏れるのを防止することができるため、さらに進んで液体クーリングによる循環の品質を高め、その使用上の寿命を延ばすことができる。
【実施例３】
【００２６】
図５を参照すると、本発明の実施例３の複合式放熱モジュールが掲示される。実施例１、２と比較してみると、実施例３においてファンホイールユニットとポンプユニット４は選択的に対応する側から並列するように設置される。また、他に駆動源５を補助するための伝動ユニットが含まれ、上記伝動ユニットはその他の部材から選択することができ、例えばギア組またはベルト組などから選択することができる。さらに詳しく言えば、放熱板１の第一収容部１０と第二収容部１４は連通して並列するように設置され、そして放熱板１の同一の側に設けられる。ファンホイールユニット３にはさらに第一伝動板３４と複数個のリブ３５が設けられる。第一伝動板３４は環状に形成され、第一伝動板３４は複数個のリブ３５によりハブ３１の外周面に連接される。第一伝動板３４の一方の表面ははね３２を排列して設置するのに用いられる。ポンプユニット４にはさらに枠体４０と第二伝動板４４が設けられる。枠体４０はポンプユニット４を密封して収容するのに用いられ、そして枠体４０は選択的に循環管路１３またはその他の支持リブ（図示せず）により第二収容部１４の内に懸架するように設けられる。ポンプユニット４の軸棒４３は枠体４０の一方の表面を貫穿して突出するように形成される。第二伝動板４４は回動自在に枠体４０の外側に設けられ、そして第二伝動板４４の中央部位は軸棒４３の一端と結合する。
【００２７】
再び図５を参照すると、第一伝動板３４と第二伝動板４４は実施例３の伝動ユニットと見なすことができる。上記伝動ユニットがギア組から選択する場合、第一伝動板３４と第二伝動板４４の外周縁には選択的に対応するように複数個の突出歯（図示せず）が設けられることにより、相互に噛み合うことができ、さらに第一伝動板３４により第二伝動板４４が同期的に回動するのを連動することができる。または、上記伝動ユニットがベルト組から選択する場合、第一伝動板３４と第二伝動板４４の外周縁には選択的に対応するように複数個の環状溝（図示せず）が設けられることにより、ベルト（図示せず）を利用して連動することができるため、第一伝動板３４により第二伝動板４４が同期的に回動するのを連動することができる。また、全体から言えば、本発明の実施例３においては二重の放熱の効果を提供することができるだけではなく、組立の空間を節約し、構造を簡単にし、さらにエネルギーの消耗を減らすことができる。さらに、ファンホイールユニット３とポンプユニット４との隣接する排列の方式と連動の方式を変えることができるため、製品の設計の自由度を高めることができる。
【実施例４】
【００２８】
図６、７を参照すると、本発明の実施例４の複合式放熱モジュールが掲示される。実施例１、２と比較してみると、実施例１、２におけるファンホイールユニット３とポンプユニット４は放熱板１の第一収容部１０と第二収容部１４の内に収容されるが、実施例４においてファンホイールユニット３とポンプユニット４は予め基座７に組み立てられ、ファンホイールユニット３とポンプユニット４を隣接するように排列し（例えば上下に重なって設置したり、または対応する側から並列するように設置したりする）、それから再び基座７の少なくとも一方の側を放熱板１の放熱部Ａ、Ｂに対応するように結合させる。
【００２９】
さらに詳しく言えば、図６、７に示すように、基座７と放熱板１は分かれるように設置される。基座７には第一収容部７０と第二収容部７１が設けられる。第一収容部７０と第二収容部７１は好ましくはそれぞれ基座７の両側に設けられるが、選択的に基座７の同じ側（図６を参照する）において相互に連通するように設けられることもできる。ファンホイールユニット３（および駆動源５）は第一収容部７０の内に組み立てられる。ポンプユニット４は第二収容部７１の内に組み立てられる。また、循環管路１３は同様に選択的に放熱板１の内部に埋設されたり、または選択的に放熱板１のもう一つの表面の外部に貼接されたりすることができる。循環管路１３は基座７の第二収容部７１に対応するように連接することができる。基座７は選択的に溶接、螺合、係合または粘着などの方式を利用して放熱板１の放熱部Ａ、Ｂに結合することができる。
【００３０】
再び図６、７を参照すると、全体から言えば、本発明の実施例４においても同様に二重の放熱の効果を提供することができるだけではなく、組立の空間を節約し、構造を簡単にし、さらにエネルギーの消耗を減らすことができる。さらに、放熱板１の規格とファンホイールユニット３およびポンプユニット４との規格は分かれて独立に設計されるため、さらに進んで製品の設計の自由度を高めることができる。また、図１から図７を参照すると、本発明の実施例１から実施例４の複合式放熱モジュールの構造を互いに組み合わせて使用することができ、その組合せでの使用は全て本発明の複合式放熱モジュールの合理的な実施範囲に属する。
【産業上の利用可能性】
【００３１】
上述の如く、図８に示す従来の複合式放熱モジュールによれば、ファンユニットとポンプユニットはそれぞれ異なる位置に設置されるため、比較的多い組立の空間を占用しており、そして比較的長い循環の径路を有しており、さらにそれぞれ駆動源を設けて別々に運転しなければならないという問題点があったが、図１に示す本発明の複合式放熱モジュールの構造によれば、ファンホイールユニット３とポンプユニット４を整合し、さらにファンホイールユニット３とポンプユニット４を隣接するように排列させ、（例えば、上下に重なって設置したり、または対応する側から並列するように設置したりする）、そしてファンホイールユニット３とポンプユニット４が選択的に同一の駆動源５を使用するように設計することにより、エアクーリングと液体クーリングによる二重の放熱の効果を提供することができるだけではなく、組立の空間を節約し、構造を簡単にし、さらにエネルギーの消耗を減らすことができ、さらに放熱しようとする放熱物件６１、６２、６３を有する電子装置の軽薄小型化に役立つことができる。
【００３２】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００３３】
【図１】本発明の実施例１の複合式放熱モジュールを示す分解斜視図である。
【図１Ａ】本発明の実施例１の複合式放熱モジュールによる局部を拡大した一部断面斜視図である。
【図２】本発明の実施例１の複合式放熱モジュールによる組み立てられた状態を示す平面図である。
【図３】図２のＩ‐Ｉ線に沿った組み立てられた状態を示す断面図である。
【図４】本発明の実施例２の複合式放熱モジュールによる組み立てられた状態を示す断面図である。
【図５】本発明の実施例３の複合式放熱モジュールを示す分解斜視図である。
【図６】本発明の実施例４の複合式放熱モジュールを示す分解斜視図である。
【図７】図６のII‐II線に沿った組み立てられた状態を示す断面図である。
【図８】従来の複合式放熱モジュールによる組み立てられた状態を説明する図である。
【符号の説明】
【００３４】
１    放熱板                        １０    第一収容部
１１    放熱フィン                    １２    放熱通路
１３    循環管路                      １４    第二収容部
２    蓋板                          ２１    風進入口
３    ファンホイールユニット        ３１    ハブ
３２    はね                          ３３    軸棒
３４    第一伝動板                    ３５    リブ
４    ポンプユニット                ４０    枠体
４１    回動板                        ４２    駆動板
４３    軸棒                          ４４    第二伝動板
５    駆動源                        ５１    ステータ部
５２    回動部                        ５３    回動部
６１    放熱物件                      ６２    放熱物件
６３    放熱物件                        ７    基座
７０    第一収容部                    ７１    第二収容部
９１    第一枠体                    ９１１    発熱部材
９２    第二枠体                      ９３    集熱部
９４    放熱部                        ９５    循環径路
９６    ファンユニット                ９７    ポンプユニット
９８    発熱部材
Ａ    放熱部                          Ｂ    放熱部
【図１】
2007227869.tif 000003
【図１Ａ】
2007227869.tif 000004
【図２】
2007227869.tif 000005
【図３】
2007227869.tif 000006
【図４】
2007227869.tif 000007
【図５】
2007227869.tif 000008
【図６】
2007227869.tif 000009
【図７】
2007227869.tif 000010
【図８】
2007227869.tif 000011